(57)【特許請求の範囲】
【請求項１】
呼出元を示す情報を含む呼出信号を受信する無線呼出部と、呼出元を示す情報に対応させて返送相手先の選択呼出番号およびまたは電話番号を記憶する手段と、呼出元に返信するために予め設定した複数の返答メッセージを記憶する手段と、受信した呼出メッセージおよび返信する返答メッセージを表示する表示部と、前記無線呼出部が受信した呼出元を示す情報と、選択呼出番号およびまたは電話番号を記憶する手段に予め登録しておいた呼出元を示す情報とが合致している場合には前記表示部に複数の返答メッセージを表示し、その中から使用者により選択された返答メッセージを相手先の無線呼出装置または携帯電話装置を含む情報通信端末に発信する携帯電話送受信部とを備えた携帯電話装置。
【請求項２】
返答メッセージが相手先の無線呼出装置に送信される場合、予め相手先の無線呼出装置の機種を登録する手段を備え、登録した機種に対応する形式の返答メッセージを作成して送信することを特徴とする請求項１記載の携帯電話装置。
【請求項３】
予め送信相手先の名前を登録する手段を有し、受信した呼出メッセージを表示する際に、送信相手先の名前を付与して表示することを特徴とする請求項１記載の携帯電話装置。
【請求項４】
予め送信相手先の選択呼出番号または電話番号を登録する手段を有し、受信した呼出メッセージを表示する際に、送信相手先の選択呼出番号または電話番号を付与して表示することを特徴する請求項１記載の携帯電話装置。
【請求項５】
返答メッセージに呼出メッセージが届いた時刻を付与して送信することを特徴する請求項１記載の携帯電話装置。
【請求項６】
返答メッセージに呼出メッセージ受取人の名前を付与して送信することを特徴する請求項１記載の携帯電話装置。
【請求項７】
返答メッセージを携帯電話送受信部を用いて発信する際、話中・圏外を含む通信が不可能な状態の場合には、返送動作を予約状態として一定時間毎に繰り返し自動発信することを特徴とする請求項１記載の携帯電話装置。
【請求項８】
返答メッセージを携帯電話送受信部を用いて発信する際、話中・圏外を含む通信が不可能な状態の場合には、終話後または圏内に移動後に自動発信することを特徴とする請求項１記載の携帯電話装置。
【請求項９】
返答メッセージを携帯電話送受信部を用いて発信する際、圏外で通信が不可能な状態の場合には、圏内に移動して一定時間経過後に自動発信することを特徴とする請求項１記載の携帯電話装置。
【請求項１０】
返答メッセージを携帯電話送受信部を用いて発信する際、圏外で通信が不可能な状態の場合には、圏内に移動して電界強度が予め定めた値以上になった後に自動発信することを特徴とする請求項１記載の携帯電話装置。
【請求項１１】
呼出元を示す情報を含む呼出信号を受信する手段と、呼出元を示す情報に対応させて返送相手先の選択呼出番号または電話番号を記憶する手段と、呼出元に返送するために予め設定した複数の返答メッセージを記憶する手段と、受信した呼出メッセージおよび返信する返答メッセージを表示する表示部と、前記無線呼出部が受信した呼出元を示す情報と、選択呼出番号およびまたは電話番号を記憶する手段に予め登録しておいた呼出元を示す情報とが合致している場合には前記表示部に複数の返答メッセージを表示し、表示された複数の返答メッセージの中から使用者により選択された返答メッセージを相手先の無線呼出装置または携帯電話装置を含む情報通信端末に発信する手段とを備えた携帯電話装置。
【請求項１２】
返答メッセージが相手先の情報通信端末に送信される場合、予め相手先の情報通信端末の機種を登録する手段を備え、登録した機種に対応する形式の返答メッセージを作成して送信することを特徴とする請求項１１記載の携帯電話装置。
【請求項１３】
予め送信相手先の名前を登録する手段を有し、受信した呼出メッセージを表示する際に、送信相手先の名前を付与して表示することを特徴とする請求項１１記載の携帯電話装置。
【請求項１４】
予め送信相手先の選択呼出番号または電話番号を登録する手段を有し、受信した呼出メッセージを表示する際に、送信相手先の名前を付与して表示することを特徴する請求項１１記載の携帯電話装置。
【請求項１５】
返答メッセージに、呼出メッセージが届いた時刻を付与して送信することを特徴する請求項１１記載の携帯電話装置。
【請求項１６】
返答メッセージに、呼出メッセージ受取人の名前を付与して送信することを特徴する請求項１１記載の携帯電話装置。
【請求項１７】
返答メッセージを携帯電話送受信機能を用いて発信する際、話中・圏外を含む、通信が不可能な状態の場合には、返送動作を予約状態として一定時間毎に繰り返し自動発信することを特徴とする請求項１１記載の携帯電話装置。
【請求項１８】
返答メッセージを携帯電話送受信機能を用いて発信する際、話中・圏外を含む、通信が不可能な状態の場合には、終話後または圏内に移動後に自動発信することを特徴とする請求項１１記載の携帯電話装置。
【請求項１９】
返答メッセージを携帯電話送受信機能を用いて発信する際、話中・圏外を含む、通信が不可能な状態の場合には、圏内に移動して一定時間経過後に自動発信することを特徴とする請求項１１記載の携帯電話装置。
【請求項２０】
返答メッセージを携帯電話送受信機能を用いて発信する際、話中・圏外を含む、通信が不可能な状態の場合には、圏内に移動して電界強度が予め定めた値以上になった後に自動発信することを特徴とする請求項１１記載の携帯電話装置。
【発明の詳細な説明】
【０００１】
【発明の属する技術分野】
本発明は、携帯電話送受信部と文字メッセージ送受信機能を備えた携帯電話装置に関する。
【０００２】
【従来の技術】
従来、無線呼出装置（いわゆるポケットベル）は、特開昭５４−１４６５０４号公報に記載されたものが知られている。図１３は従来の無線呼出装置の構成を示しており、１はＦＭ受信器、２はＦＭ信号を復調する復調器、３は自己装置の選択呼出番号を記憶する選択呼出番号記憶回路、４はデコーダ部であり、受信した信号が選択呼出番号記憶回路３で記憶している自己の選択呼出番号であるかを判断する機能と、折り返し連絡すべき電話番号を解読する機能とを有する。５は発音体を駆動する回路、６は発音体、７は電話番号記憶記憶回路、８は表示器駆動回路、９は表示器、１０はダイヤルトーンを発する発振回路、１１は発振起動スイッチである。
【０００３】
次に上記従来例の動作について説明する。図１３に示した無線呼出装置に、図１４に示すような選択呼出信号ａと電話番号情報ｂからなる呼出信号が受信されると、この信号は、ＦＭ受信器１を通り、復調器２で復調される。受信した選択呼出信号が、選択呼出番号記憶回路３で記憶している自己の選択呼出番号と合致していれば、デコーダ部４は、発音体駆動回路５を介して発音体６を鳴動させ、携帯者に呼出を知らせる。次に、デコーダ部４は、選択呼出番号ａの次にくる電話番号情報ｂから折り返し連絡すべき電話番号を解読し、この番号を一旦電話番号記憶回路７に記録し、その番号を表示器駆動回路８を介して表示器９に表示する。受信機の携帯者は、発音体６の鳴動によって着信を知り、表示器９に表示してある番号により、折り返し連絡すべき電話番号を確認することができる。次に、携帯者が折り返し連絡をとる目的で近くの電話機の受話器を取り、受話器の周辺で発振起動スイッチ１１を押すと、発振回路１０からダイヤルトーン信号が発振され、受話器がこれを誘起することにより、携帯者がダイヤルキーを押下し、発信することなく目的の相手先を電話で呼び出すことができる。
【０００４】
【発明が解決しようとする課題】
しかしながら、上記従来の無線呼出装置では、会議中等に「至急ＴＥＬせよ！０４５−１２３−４５６７」等のメッセージを受信した際、携帯者は会議を中座して電話がある場所へわざわざ行き、ダイヤルトーンを発振するための発信起動スイッチを押す必要があった。また、発呼者が返信の電話を要求する場合、約１０桁の電話番号を呼出情報に入れる必要があり、時には電話番号入力ミスにより誤った番号を発信して、折り返しの連絡がつかないという問題があった。さらに、発呼者は、無線呼出メッセージを送った場合、相手に無線呼出メッセージが本当に届いたかを確認できる手段がないという問題があった。
【０００５】
本発明は、上記従来の問題を解決するものであり、相手の無線呼出装置や電話機等を含む情報通信端末へ返答メッセージを直ちに送信することのできる優れた文字メッセージ送受信機能付きの携帯電話装置を提供することを目的とする。
【０００６】
【課題を解決するための手段】
本発明は、上記目的を達成するために、無線により基地局との双方向通信をする携帯電話送受信部と、呼出元を示す情報を含む呼出信号を受信する手段とを備え、呼出元を示す情報を含む無線呼出信号を無線呼出部で受信した場合、予め登録しておいた返答メッセージの中から適切なものを選ぶとともに、予め呼出元情報に対応させて登録しておいた相手先の選択呼出番号や電話番号（本明細書において電話番号とはファクシミリ番号を含むものとする。）を読み出して相手側に直ちに送信できるようにしたものである。これにより、呼出メッセージを受信した携帯者が相手先へ返信のためにわざわざ電話のある場所に行ってダイヤル発信する必要がなく、また呼出元が返信の電話を要求する場合でも電話番号を入力せずに済み、さらに呼出元において呼出メッセージが相手に届いたことを直ちに知ることができるという効果が得られる。
【０００７】
【発明の実施の形態】
本発明の請求項１に記載の発明は、呼出元を示す情報を含む呼出信号を受信する無線呼出部と、呼出元を示す情報に対応させて返送相手先の選択呼出番号およびまたは電話番号を記憶する手段と、呼出元に返信するために予め設定した複数の返答メッセージを記憶する手段と、受信した呼出メッセージおよび返信する返答メッセージを表示する表示部と、前記無線呼出部が受信した呼出元を示す情報と、選択呼出番号およびまたは電話番号を記憶する手段に予め登録しておいた呼出元を示す情報とが合致している場合には前記表示部に複数の返答メッセージを表示し、その中から使用者により選択された返答メッセージを相手先の無線呼出装置または携帯電話装置を含む情報通信端末に発信する携帯電話送受信部とを備えた携帯電話装置であり、返答メッセージを直ちに自動送信できるので、会議中等においても中座することなく直ちに返答メッセージを送ることができ、また呼出元で電話番号等を入力する必要がなく、さらに呼出元で呼出メッセージが相手に届いたことを確認することができるという作用を有する。
【０００８】
本発明の請求項２に記載の発明は、返答メッセージが相手先の無線呼出装置に送信される場合、予め相手先の無線呼出装置の機種を登録する手段を備え、登録した機種に対応する形式の返答メッセージを作成して送信する請求項１記載の携帯電話装置であり、相手無線呼出装置に返答メッセージを送信する際、その無線呼出装置の形式に適した返答メッセージを自動的に作成できるという作用を有する。
【０００９】
本発明の請求項３に記載の発明は、予め送信相手先の名前を登録する手段を有し、受信した呼出メッセージを表示する際に、送信相手先の名前を付与して表示することを特徴とする請求項１記載の携帯電話装置であり、呼出メッセージを受け取った際に誰からの呼出メッセージであるかを一目で理解できるという作用を有する。
【００１０】
本発明の請求項４に記載の発明は、予め送信相手先の選択呼出番号およびまたは電話番号を登録する手段を有し、受信した呼出メッセージを表示する際に、送信相手先の選択呼出番号およびまたは電話番号を付与して表示することを特徴する請求項１記載の携帯電話装置であり、呼出メッセージを受け取った際に、何処へ連絡すればよいかを一目で理解できるという作用を有する。
【００１１】
本発明の請求項５に記載の発明は、返答メッセージに呼出メッセージが届いた時刻を付与して送信することを特徴する請求項１記載の携帯電話装置であり、呼出元ではいつ呼出メッセージが相手側に届いたかを知ることができるという作用を有する。
【００１２】
本発明の請求項６に記載の発明は、返答メッセージに呼出メッセージ受取人の名前を付与して送信することを特徴する請求項１記載の携帯電話装置であり、呼出元では誰からの返答メッセージであるかを知ることができるという作用を有する。
【００１３】
本発明の請求項７に記載の発明は、返答メッセージを携帯電話送受信部を用いて発信する際、話中・圏外を含む通信が不可能な状態の場合には、返送動作を予約状態として一定時間毎に繰り返し自動発信することを特徴とする請求項１記載の携帯電話装置であり、通信が不可能な場合には、使用者が関与することなく、通信が可能になるまで自動的に発信動作を繰り返すことができるという作用を有する。
【００１４】
本発明の請求項８に記載の発明は、無線呼出返答メッセージを携帯電話送受信部を用いて発信する際、話中・圏外を含む通信が不可能な状態の場合には、終話後または圏内に移動後に自動発信することを特徴とする請求項１記載の携帯電話装置であり、通信が不可能な場合には、使用者が関与することなく、通信が可能になった時点で自動的に発信動作を行うことができるという作用を有する。
【００１５】
本発明の請求項９に記載の発明は、無線呼出返答メッセージを携帯電話送受信部を用いて発信する際、圏外で通信が不可能な状態の場合には、圏内に移動して一定時間経過後に自動発信することを特徴とする請求項１記載の携帯電話装置であり、通信が不可能な場合には、使用者が関与することなく、通信が可能になった時点で自動的に発信動作を行うことができるという作用を有する。
【００１６】
本発明の請求項１０に記載の発明は、無線呼出返答メッセージを携帯電話送受信部を用いて発信する際、圏外で通信が不可能な状態の場合には、圏内に移動して電界強度が予め定めた値以上になった後に自動発信することを特徴とする請求項１記載の携帯電話装置であり、通信が不可能な場合には、使用者が関与することなく、通信が可能になった時点で自動的に発信動作を行うことができるという作用を有する。
【００１７】
本発明の請求項１１に記載の発明は、呼出元を示す情報を含む呼出信号を受信する手段と、呼出元を示す情報に対応させて返送相手先の選択呼出番号または電話番号を記憶する手段と、呼出元に返送するために予め設定した複数の返答メッセージを記憶する手段と、受信した呼出メッセージおよび返信する返答メッセージを表示する表示部と、前記無線呼出部が受信した呼出元を示す情報と、選択呼出番号およびまたは電話番号を記憶する手段に予め登録しておいた呼出元を示す情報とが合致している場合には前記表示部に複数の返答メッセージを表示し、表示された複数の返答メッセージの中から使用者により選択された返答メッセージを相手先の無線呼出装置または携帯電話装置を含む情報通信端末に発信する手段とを備えた携帯電話装置であり、返答メッセージを直ちに自動送信できるので、会議中等においても中座することなく直ちに返答メッセージを送ることができ、また呼出元で電話番号等を入力する必要がなく、さらに呼出元で呼出メッセージが相手に届いたことを確認することができるという作用を有する。
【００１８】
本発明の請求項１２に記載の発明は、返答メッセージが相手先の情報通信端末に送信される場合、予め相手先の情報通信端末の機種を登録する手段を備え、登録した機種に対応する形式の返答メッセージを作成して送信する請求項１１記載の携帯電話装置であり、相手情報通信端末に返答メッセージを送信する際、その情報通信端末の形式に適した返答メッセージを自動的に作成できるという作用を有する。
【００１９】
本発明の請求項１３に記載の発明は、予め送信相手先の名前を登録する手段を有し、受信した呼出メッセージを表示する際に、送信相手先の名前を付与して表示することを特徴とする請求項１１記載の携帯電話装置であり、呼出メッセージを受け取った際に誰からの呼出メッセージであるかを一目で理解できるという作用を有する。
【００２０】
本発明の請求項１４に記載の発明は、予め送信相手先の選択呼出番号または電話番号を登録する手段を有し、受信した呼出メッセージを表示する際に、送信相手先の名前を付与して表示することを特徴する請求項１１記載の携帯電話装置であり、呼出メッセージを受け取った際に、誰に連絡すればよいかを一目で理解できるという作用を有する。
【００２１】
本発明の請求項１５に記載の発明は、返答メッセージに、呼出メッセージが届いた時刻を付与して送信することを特徴する請求項１１記載の携帯電話装置であり、呼出元ではいつ呼出メッセージが相手側に届いたかを知ることができるという作用を有する。
【００２２】
本発明の請求項１６に記載の発明は、返答メッセージに、呼出メッセージ受取人の名前を付与して送信することを特徴する請求項１１記載の携帯電話装置であり、呼出元では誰からの返答メッセージであるかを知ることができるという作用を有する。
【００２３】
本発明の請求項１７に記載の発明は、返答メッセージを携帯電話送受信部を用いて発信する際、話中・圏外を含む、通信が不可能な状態の場合には、返送動作を予約状態として一定時間毎に繰り返し自動発信することを特徴とする請求項１１記載の携帯電話装置であり、通信が不可能な場合には、使用者が関与することなく、通信が可能になるまで自動的に発信動作を繰り返すことができるという作用を有する。
【００２４】
本発明の請求項１８に記載の発明は、無線呼出返答メッセージを携帯電話送受信部を用いて発信する際、話中・圏外を含む、通信が不可能な状態の場合には、終話後または圏内に移動後に自動発信することを特徴とする請求項１１記載の携帯電話装置であり、通信が不可能な場合には、使用者が関与することなく、通信が可能になった時点で自動的に発信動作を行うことができるという作用を有する。
【００２５】
本発明の請求項１９に記載の発明は、無線呼出返答メッセージを携帯電話送受信部を用いて発信する際、話中・圏外を含む、通信が不可能な状態の場合には、圏内に移動して一定時間経過後に自動発信することを特徴とする請求項１１記載の携帯電話装置であり、通信が不可能な場合には、使用者が関与することなく、通信が可能になった時点で自動的に発信動作を行うことができるという作用を有する。
【００２６】
本発明の請求項２０に記載の発明は、無線呼出返答メッセージを携帯電話送受信部を用いて発信する際、話中・圏外を含む、通信が不可能な状態の場合には、圏内に移動して電界強度が予め定めた値以上になった後に自動発信することを特徴とする請求項１１記載の携帯電話装置であり、通信が不可能な場合には、使用者が関与することなく、通信が可能になった時点で自動的に発信動作を行うことができるという作用を有する。
【００２７】
以下、本発明の実施の形態について図１から図１２を用いて説明する。なお、以下の実施の形態の説明においては、携帯電話装置として、文字メッセージ送受信機能等を含む無線呼出付き携帯電話を取り上げて説明する。
（実施の形態１）
図１は本発明の実施の形態１における無線呼出付き携帯電話装置（以下、単に携帯電話装置という）の構成を示すものである。図１において、１０１は無線呼出用アンテナ、１０２はＦＭ受信器、１０３はＦＭ信号を復調する復調器、１０４は自己の装置の選択呼出番号を記憶する選択呼出番号記憶回路、１０５は受信した選択呼出番号が自己の選択呼出番号と合致するかを判断するデコーダ部であり、これらにより無線呼出部１０６が構成されている。また、２０１は携帯電話用アンテナ、２０２は携帯電話用アンテナ２０１で受信された信号の不要帯域を遮断する受信フィルター、２０３は高周波信号をベースバンド信号に復調する復調器、２０４は復調器２０３で復調したベースバンド信号のうち制御信号をデジタル信号に復調し、またデジタル制御信号をベースバンド信号へ変調する変復調器、２０５は送信フィルター、２０６はベースバンド信号を高周波信号へ変調する変調器、２０７は通話のための音声信号を処理する音声処理部、２０８は携帯者が音声を聞くためのレシーバ、２０９は携帯者が送話するためのマイクであり、これらにより携帯電話送受信部２１０が構成されている。さらに、３０１は機器全体の動作を管理するＣＰＵ、３０２は予め呼出元の情報を記憶しておくための記憶回路、３０３は相手への返答メッセージ内容を記憶しておくための記憶回路、３０４は受信した選択呼出メッセージを格納するための記憶回路、３０５は表示部、３０６は操作部、３０７は呼出を携帯者へ知らせるためのブザー鳴動回路、３０８は時計回路である。
【００２８】
以上のように構成された携帯電話装置について、以下その動作を説明する。ここでは、呼出元の電話機から本発明の携帯電話装置（以下、本装置と略す。）の無線呼出部１０６で無線呼出信号を受信し、呼出元が携帯している無線呼出装置へメッセージを返信する際の動作について説明する。但し、ここでは、無線呼出部１０６を有する携帯電話装置としたが、無線呼出装置（ポケットベル）に限らず、文字メッセージ送受信機能を持つ携帯電話装置を含む他の情報通信端末でも同様の動作を行なうことができることはいうまでもない。
【００２９】
まず、図２に示すように、相手電話機から無線呼出センターへの通信回線▲１▼および無線呼出センターから本装置までの無線通信回線▲２▼を通じて、自己宛の選択呼出信号Ａと、「至急ＴＥＬせよ」などの呼出メッセージＢと、呼出元のＩＤ情報である呼出元情報Ｃからなる呼出信号が送信されてくる。この信号は、本装置の無線呼出用アンテナ１０１を通じてＦＭ受信器１０２で受信され、復調器１０３で復調される。デコーダ部１０５は、復調された呼出信号の中の自己宛の選択呼出信号Ａが、選択呼出番号記憶回路１０４で記憶している自己の選択呼出番号と合致しているかを判断し、合致している場合は鳴動起動信号をＣＰＵ３０１へ送信し、ＣＰＵ３０１はブザー鳴動回路３０７を駆動して携帯者に呼出を知らせる。
【００３０】
次にデコーダ部１０５は、復調された呼出信号の中の呼出メッセージＢをＣＰＵ３０１を経由して受信メッセージ記憶回路３０４に記憶し、ＣＰＵ３０１はその内容を表示部３０５に表示する。同時に、ＣＰＵ３０１は、時計回路３０８の時間データを受信メッセージを受信した時間として受信メッセージ記憶回路３０４にタイムスタンプとして記憶するとともに、表示部３０５にその時刻を表示する。さらにデコーダ部１０５は、復調された呼出信号の中の呼出元情報ＣをＣＰＵ３０１へ伝え、ＣＰＵ３０１は、ブザー鳴動回路３０７が動作している状態で携帯者が操作部３０６の所定のキーを押したことを検知すると、呼出元情報記憶回路３０２に予め登録してあるＩＤ情報と合致しているかを判断し、合致している場合は、返答メッセージ記憶回路３０３に記憶してある複数の返答メッセージを呼び出して表示部３０５に順番に表示する。携帯者がその中から最適なものを選択して操作部３０６のキーを押すと、その返答メッセージのデジタル信号がＣＰＵ３０１からベースバンド変復調器２０４を通って変調器２０６で高周波信号に変調され、送信フィルター２０５を通って携帯電話用アンテナ２０１から空中へ送信される。
【００３１】
この時の信号は、呼出元情報記憶回路３０２にＩＤ情報に対応させて記憶してある相手選択呼出信号Ｄと、送信時間を短縮するための無線呼出センターからの操作を促すガイダンスを停止するためのガイダンス停止コードＥと、フリーワード等の文字メッセージの開始を示すメッセージシフトインコードＦと、返答メッセージＧと、メッセージが終了したことを示す終了コードＨからなる。この信号は、本装置から携帯電話基地局を経由して無線通信回線▲３▼と通信回線▲４▼を通って無線呼出センターへ伝えられる。無線呼出センターからは、無線通信回線▲５▼を通って相手の無線呼出装置へ伝えられる。この無線通信回線▲５▼を通る信号は、相手選択呼出信号Ｄと返答メッセージＧのみからなる。この信号を受信した相手無線呼出装置は、返答メッセージの内容を読むことにより、相手からのメッセージを直ちに知ることができる。
【００３２】
上記実施の形態では、相手電話機から無線呼出センターを経由して本装置の無線呼出部１０６への着信と、本装置の携帯電話送受信部２１０から携帯電話基地局、無線呼出センターを経由して相手無線呼出装置への発信を例に説明したが、相手無線呼出装置から無線呼出センターを経由しての本装置への着信、本装置から携帯電話基地局を経由しての相手電話機または他の情報通信端末への発信も同様にして可能である。また、相手文字メッセージ送受信機能を持つ携帯電話装置から本装置への着信、本装置から相手文字メッセージ送受信機能を持つ携帯電話装置への発信も同様に可能である。
【００３３】
このように、本実施の形態１によれば、本装置の無線呼出部１０６が、相手からの呼出元情報を含む呼出メッセージを受信すると、その呼出メッセージを表示部３０５に表示するとともに、操作部３０６の所定のキーを押すことにより複数の返答メッセージが表示部３０５に表示されるので、携帯者がその中から最適なものを選んでキーを押すことにより、必要な返答メッセージを直ちに相手無線呼出装置または電話機を含む情報通信端末へ返信することができる。このため、本装置の携帯者が会議中等であっても、中座することなく直ちに返答メッセージを送信することができ、また呼出元では、返送先の電話番号等を入力する手間もなく、相手に呼出メッセージが届いたことも直ちに知ることができる。
【００３４】
（実施の形態２）
次に本発明の実施の形態２について説明する。本実施の形態２における携帯電話装置の全体構成は図１と同じであり、呼出元情報記憶回路３０２の記憶内容を具体化したものである。図３は本実施の形態２における呼出元情報記憶回路３０２に記憶するデータの一例を示している。図３において、ＩＤ情報としての電話帳番号０１には、ヤマダタロウさんの名前とその呼出無線装置の選択呼出番号と機種コードＸ１が登録され、同様に電話帳番号０２には、スズキタカシさんの名前とその呼出無線装置の選択呼出番号と機種コードＸ２が登録されている。無線呼出装置の機種コードの登録は、無線呼出装置の機種によりメッセージの形式が異なるため、機種コードに適したメッセージを作成できるようにするためである。
【００３５】
以上のように構成された携帯電話装置の動作について図１から図４を参照して説明する。呼出元からの選択呼出信号Ａと呼出メッセージＢと呼出元情報Ｃを含む呼出信号を無線呼出部１０６で受信し、表示部３０５に返答メッセージを表示するまでの動作は実施の形態１と同様である。呼出元がヤマダタロウさんの場合、呼出元情報Ｃには電話帳番号０１（予め相手側に通知しておく）が挿入され、この電話帳番号０１から図３の名前ヤマダタロウと選択呼出番号０３−６１０−００７８と機種コードＸ１が特定される。ＣＰＵ３０１は、返答メッセージが選択されると、図４に示すように、相手選択呼出信号Ｄとして相手側の選択呼出番号を挿入し、ガイダンス停止コードＥ、シフトインコードＦ、返答メッセージＧ、メッセージ終了コードＨを機種コードＸ１の形式で作成して、携帯電話送受信部２１０を介してヤマダタロウさんへ送信する。電話番号帳０２のスズキタカシさんからの呼出元情報Ｃを含む呼出メッセージを受信した時も同様に、機種コードＸ２の形式に適した返答メッセージ信号を作成して返信する。
【００３６】
このように、上記実施の形態２によれば、本装置の呼出元情報記憶回路３０２に電話帳機能を持たせて、送信相手側の無線呼出装置の機種コードを登録することにより、相手の機種コードに適した返答メッセージを自動的に作成して送信することができる。
【００３７】
（実施の形態３）
次に本発明の実施の形態３について説明する。本実施の形態３における携帯電話装置の全体構成は図１と同じであり、実施の形態２と同様に呼出元情報記憶回路３０２に電話帳機能を持たせたものである。図３で説明したように、呼出元情報記憶回路３０２の電話帳番号０１には、ヤマダタロウさんの呼出無線装置の選択呼出番号と機種コードＸ１が登録され、同様に電話帳番号０２にはスズキタカシさんの呼出無線装置の選択呼出番号と機種コードＸ２が登録されている。
【００３８】
本実施の形態において、呼出元からの選択呼出信号Ａと呼出メッセージＢと呼出元情報Ｃを含む呼出信号を無線呼出部１０６で受信するまでの動作は実施の形態２と同様である。呼出元がヤマダタロウさんの場合、呼出元情報Ｃには、予め相手側に通知された電話帳番号０１が挿入され、この電話帳番号０１から図３の名前ヤマダタロウとその選択呼出番号が特定される。ＣＰＵ３０１は、受信メッセージをデコーダ部１０５から受けると、図５に示すように、呼出元の名前ヤマダタロウと、受信メッセージの内容である「カイギチュウ？」と、受信時刻を含むカレンダー情報を表示部３０５に表示する。
【００３９】
このように、上記実施の形態３によれば、本装置の呼出元情報記憶回路３０２に電話帳機能を持たせて、呼出元の名前を登録して受信メッセージにその名前を付与して表示することにより、誰からの呼出メッセージであるかを一目で確認することができる。
【００４０】
（実施の形態４）
次に本発明の実施の形態４について説明する。本実施の形態４における携帯電話装置の全体構成は図１と同じであり、実施の形態２と同様に呼出元情報記憶回路３０２に電話帳機能を持たせたものである。図３で説明したように、呼出元情報記憶回路３０２の電話帳番号０１には、ヤマダタロウさんの呼出無線装置の選択呼出番号と機種コードＸ１が登録され、同様に電話帳番号０２にはスズキタカシさんの呼出無線装置の選択呼出番号と機種コードＸ２が登録されている。
【００４１】
本実施の形態において、呼出元からの選択呼出信号Ａと呼出メッセージＢと呼出元情報Ｃを含む呼出信号を無線呼出部１０６で受信するまでの動作は実施の形態２と同様である。呼出元がヤマダタロウさんの場合、呼出元情報Ｃには、予め相手側に通知された電話帳番号０１が挿入され、この電話帳番号０１から図３の名前ヤマダタロウとその選択呼出番号が特定される。ＣＰＵ３０１は、受信メッセージをデコーダ部１０５から受けると、図６に示すように、呼出元の名前ヤマダタロウおよびその選択呼出番号と、受信メッセージの内容である「カイギチュウ？」と、受信時刻を含むカレンダー情報を表示部３０５に表示する。
【００４２】
このように、上記実施の形態４によれば、本装置の呼出元情報記憶回路３０２に電話帳機能を持たせて、呼出元の名前とその連絡先である選択呼出番号を登録して、これらを受信メッセージに付与して表示することにより、誰からのメッセージで、どこに連絡すればよいかを一目で確認することができる。
【００４３】
（実施の形態５）
次に本発明の実施の形態５について説明する。本実施の形態５における携帯電話装置の全体構成は図１と同じであり、相手側無線呼出装置へ返答メッセージを返信する際の返信内容が実施の形態１と異なるのみである。すなわち、無線呼出部１０６で受信した呼出信号の中の呼出元情報Ｃが、予め呼出元情報記憶回路３０２に登録されているＩＤ情報と合致している場合に、操作部３０６のキーを押下して表示部３０５に表示された返答メッセージの中から最適なものを選択するまでの動作は実施の形態１と同じである。本実施の形態では、返答メッセージを選択して送信制御を促すキーを押下すると、受信メッセージ記憶回路３０４に記憶されている受信メッセージ受信時刻を呼び出して、時刻情報ＩとしてＣＰＵ３０１を介して返答メッセージ記憶回路３０３に記憶する。そして、図２の本装置から携帯電話基地局への無線通信回線▲３▼および携帯電話基地局から無線呼出センターへの通信回線▲４▼を通って、図７に示すように、相手選択呼出信号Ｄと、ガイダンス停止コードＥと、シフトインコードＦと、返答メッセージＧと、時刻データＩと、終了コードＨからなる信号が送信される。この信号は、相手選択呼出信号Ｄと返答メッセージＧと時刻データＩからなる信号として、無線呼出センターから無線通信回線▲５▼を通って相手無線呼出装置へ送信される。これにより、相手無線呼出装置では、返答メッセージとともに、自分から発信した呼出メッセージがいつ相手側に届いたかを知ることができる。
【００４４】
このように、上記実施の形態５によれば、返答メッセージに呼出メッセージが届いた時刻を付与して相手側無線呼出装置へ送信するので、返信相手に呼出メッセージがいつ届いたかを知らせることができる。
【００４５】
（実施の形態６）
次に本発明の実施の形態６について説明する。本実施の形態６における携帯電話装置の全体構成は図１と同じであり、実施の形態５と同様に相手側無線呼出装置へ返信する返答メッセージの内容を変えたことが実施の形態１と異なる。すなわち、図８（ａ）に示すように、呼出元情報記憶回路３０２の電話帳番号００に使用者（送信者）である自分の名前を登録し、電話帳番号０１以降には送信相手先の名前とその呼出無線装置の選択呼出番号と機種コードＸ１を登録しておく。ＣＰＵ３０１は、返答メッセージが選択されると、図８（ｂ）に示すように、相手選択呼出信号Ｄと、ガイダンス停止コードＥと、シフトインコードＦと、返答メッセージＧと、使用者の名前情報Ｊと、終了コードＨを作成して、本装置から無線通信回線▲３▼を通して携帯電話基地局へ送信する。この信号は、携帯電話基地局から無線呼出センターへ通信回線▲４▼を通って送信され、さらに無線呼出センターから無線通信回線▲５▼を通って相手無線呼出装置へ、相手選択呼出信号Ｄと返答メッセージＧと使用者の名前データＪからなる信号として送信される。これにより、相手無線呼出装置では、返答メッセージとともに、誰からの返答メッセージであるかを知ることができる。
【００４６】
このように、上記実施の形態６によれば、相手側無線呼出装置への返答メッセージの中に、使用者（送信者）の名前情報を挿入することにより、返信相手に誰からの返答メッセージであるかを知らせることができる。
【００４７】
（実施の形態７）
次に本発明の実施の形態７について説明する。本実施の形態７における携帯電話装置の全体構成は図１と同じであり、返答メッセージを携帯電話送受信部を用いて発信する際、話中・圏外を含む通信が不可能な状態の場合には、返送動作を予約状態として一定時間毎に繰り返し自動発信を行うようにしたものである。
【００４８】
以下、本実施の形態７の動作を図９のフロー図を参照して説明する。まず、実施の形態１と同様にして無線呼出部１０６が呼出メッセージを受信し、呼出元情報が合致している場合に返答メッセージを選択して送信キーを押下すると、携帯電話送受信部２１０が返送動作を開始する（Ｓ１）。次にＣＰＵ３０１は、本装置の携帯電話が通信圏内にあるかどうかの判定を行い（Ｓ２）、圏内であれば相手側無線呼出装置へ発信動作を開始し（Ｓ３）、次いで無線呼出センターがメッセージ受信可能状態であるかどうかを判定し（Ｓ４）、受信可能状態であれば返答メッセージを送信し（Ｓ５）、返答メッセージの送信が終了すると携帯電話の回線を切断する（Ｓ６）。また、ステップＳ２で本装置の携帯電話が圏外である場合は、返送動作予約状態となり（Ｓ８）、時計回路３０８がスタートとして（Ｓ９）、一定時間後に返送動作を再開する（Ｓ１０、Ｓ１）。また、ステップＳ４で無線呼出センターが話中の場合は、一旦携帯電話の回線を切断した後（Ｓ７）、上記ステップ８、９、１０から１に戻って処理を繰り返す。
【００４９】
本実施の形態において、圏内とは電波の届いている状態、圏外とは電波の届いていない状態をいい、通信が不可能な状態とは圏外または携帯電話装置が他の目的（通話等）で使用中、または無線呼出センターが話中等であってメッセージ送信ができない状態をいう。なお、話中や圏外であっても、返送動作を開始途中で電池がなくなり、返送動作ができなかった場合においても、返送できなかった情報を不揮発性メモリー等に記憶させておけば、通信可能となってから返送動作を行うことができる。
【００５０】
以上のように、本実施の形態７によれば、返答メッセージを携帯電話送受信部を用いて発信する際、話中・圏外を含む通信が不可能な状態の場合には、返送動作を予約状態として一定時間毎に繰り返し自動発信を行うようにしたので、通信が不可能な状態の場合に、使用者が何度も発信し直す手間を省くことができる。
【００５１】
（実施の形態８）
次に本発明の実施の形態８について説明する。本実施の形態８における携帯電話装置の全体構成は図１と同じであり、返答メッセージを携帯電話送受信部を用いて発信する際、話中・圏外を含む通信が不可能な状態の場合には、終話後または圏内に移動後に自動発信を行うようにしたものである。
【００５２】
以下、本実施の形態８の動作を図１０のフロー図を参照して説明する。上記実施の形態７と同様に、呼出メッセージを受信し、返答メッセージを選択して、送信キーを押下して返送動作を開始すると（Ｓ１１）、ＣＰＵ３０１は、本装置の携帯電話送受信部２１０が通話中であるかどうかを判定し（Ｓ１２）、通話中でなければ、本装置が通信圏内にあるかどうかを判定し（Ｓ１３）、圏内であれば相手側無線呼出装置へ発信動作を開始する（Ｓ１４）。次いで無線呼出センターがメッセージ受信可能状態であるかどうかを判定し（Ｓ１５）、受信可能状態であれば返答メッセージを送信し（Ｓ１６）、返答メッセージの送信が終了すると携帯電話の回線を切断する（Ｓ１７）。ステップＳ１２で本装置が通話中である場合は、通話が終了するまでこの処理を繰り返し、また本装置が圏外である場合は、圏内に移動するまでこの処理を繰り返す。また、ステップＳ１５で無線呼出センターが話中の場合は、一旦携帯電話回線を切断した後（Ｓ１８）、再度ステップ１２からの処理を繰り返す。
【００５３】
以上のように、本実施の形態８によれば、返答メッセージを携帯電話送受信部を用いて発信する際、話中・圏外を含む通信が不可能な状態の場合には、終話後または圏内に移動後に自動発信を行うようにしたので、通信が不可能な状態の場合に、使用者が何度も発信し直す手間を省くことができる。
【００５４】
（実施の形態９）
次に本発明の実施の形態９について説明する。本実施の形態９における携帯電話装置の全体構成は図１と同じであり、返答メッセージを携帯電話送受信部を用いて発信する際、圏外で通信が不可能な状態の場合には、圏内に移動して一定時間後に自動発信を行うようにしたものである。
【００５５】
以下、本実施の形態９の動作を図１１のフロー図を参照して説明する。上記実施の形態７と同様に、呼出メッセージを受信し、返答メッセージを選択して、送信キーを押下して返送動作を開始すると（Ｓ２１）、ＣＰＵ３０１は、本装置の携帯電話が通信圏内にあるかどうかの判定を行い（Ｓ２２）、圏内であれば時計回路３０８をスタートさせ（Ｓ２３）、一定時間後に発信動作を開始する（Ｓ２４、Ｓ２５）。次いで無線呼出センターがメッセージ受信可能状態であるかどうかを判定し（Ｓ２６）、受信可能状態であれば返答メッセージを送信し（Ｓ２７）、返答メッセージの送信が終了すると携帯電話の回線を切断する（Ｓ２８）。また、ステップＳ２２で本装置の携帯電話が圏外である場合は、圏内に移動するまでこの処理を繰り返す。また、ステップＳ２６で無線呼出センターが話中の場合は、一旦携帯電話回線を切断した後（Ｓ２９）、再度ステップ２２からの処理を繰り返す。
【００５６】
以上のように、本実施の形態９によれば、返答メッセージを携帯電話送受信部を用いて発信する際、圏外で通信が不可能な状態の場合には、圏内に移動して一定時間後に自動発信を行うようにしたので、圏内に移動後は確実に自動発信することができ、また使用者が発信し直す手間を省くことができる。
【００５７】
（実施の形態１０）
次に本発明の実施の形態１０について説明する。本実施の形態１０における携帯電話装置の全体構成は図１と同じであり、返答メッセージを携帯電話送受信部を用いて発信する際、圏外で通信が不可能な状態の場合には、圏内に移動して電界強度が予め設定した値以上になった後に自動発信を行うようにしたものである。
【００５８】
以下、本実施の形態１０の動作を図１２のフロー図を参照して説明する。上記実施の形態７と同様に、呼出メッセージを受信し、返答メッセージを選択して、送信キーを押下して返送動作を開始すると（Ｓ３１）、ＣＰＵ３０１は、本装置の携帯電話が通信圏内にあるかどうかの判定を行い（Ｓ３２）、圏内であれば本装置の受信電界強度が予め設定された値Ｋ以上であるかどうかを判定し（Ｓ３３）、値Ｋ以上であれば発信動作を開始する（Ｓ３４）。次いで無線呼出センターがメッセージ受信可能状態であるかどうかを判定し（Ｓ３５）、受信可能状態であれば返答メッセージを送信し（Ｓ３６）、返答メッセージの送信が終了すると携帯電話の回線を切断する（Ｓ３７）。ステップＳ３２で本装置の携帯電話が圏外である場合は、圏内に移動するまでこの処理を繰り返す。また、ステップ３３で受信電界強度が値Ｋに満たない場合は、値Ｋになるまでこの処理を繰り返す。さらにステップＳ３５で無線呼出センターが話中の場合は、一旦携帯電話回線を切断した後（Ｓ３８）、再度ステップ３２からの処理を繰り返す。
【００５９】
以上のように、本実施の形態１０によれば、返答メッセージを携帯電話送受信部を用いて発信する際、圏外で通信が不可能な状態の場合には、圏内に移動して受信電界強度が予め設定した値以上になった後に自動発信を行うようにしたので、圏内に移動後は確実に自動発信することができ、また使用者が発信し直す手間を省くことができる。
【００６０】
【発明の効果】
本発明は、上記実施の形態から明らかなように、呼出元を示す情報を含む呼出信号を受信する手段と、呼出元を示す情報に対応させて返送相手先の選択呼出番号およびまたは電話番号を記憶する手段と、呼出元に返信するために予め設定した複数の返答メッセージを記憶する手段と、受信した呼出メッセージおよび返信する返答メッセージを表示する表示部と、前記無線呼出部が受信した呼出元を示す情報と、選択呼出番号およびまたは電話番号を記憶する手段に予め登録しておいた呼出元を示す情報とが合致している場合には前記表示部に複数の返答メッセージを表示し、その中から使用者により選択された返答メッセージを相手先の無線呼出装置または携帯電話装置を含む情報通信端末に発信する手段とを備えているので、会議中等においても中座することなく直ちに返答メッセージを送ることができ、また呼出元で電話番号等を入力する必要がなく、さらに呼出元で呼出メッセージが相手に届いたことを確認することができるという効果を有する。
【００６１】
本発明はまた、返答メッセージが相手先の情報通信端末に送信される場合、予め相手先の情報通信端末の機種を登録する手段を備え、登録した機種に対応する形式の返答メッセージを作成して送信するので、相手無線呼出装置に返答メッセージを送信する際、その無線呼出装置の形式に適した返答メッセージを自動的に作成できるという効果を有する。
【００６２】
本発明はまた、送信予め相手先の名前を登録する手段を有し、受信した呼出メッセージを表示する際に、送信相手先の名前を付与して表示するので、呼出メッセージを受け取った際に誰からの呼出メッセージであるかを一目で理解できるという効果を有する。
【００６３】
本発明はまた、予め送信相手先の選択呼出番号およびまたは電話番号を登録する手段を有し、受信した呼出メッセージを表示する際に、送信相手先の名前または選択呼出番号または電話番号を付与して表示するので、呼出メッセージを受け取った際に、誰に、どこへ連絡すればよいかを一目で理解できるという効果を有する。
【００６４】
本発明はまた、返答メッセージに、呼出メッセージが届いた時刻を付与して送信するので、呼出元ではいつ呼出メッセージが相手側に届いたかを知ることができるという効果を有する。
【００６５】
本発明はまた、返答メッセージに、呼出メッセージ受取人の名前を付与して送信するので、呼出元では誰からの返答メッセージであるかを知ることができるという効果を有する。
【００６６】
本発明はまた、返答メッセージを携帯電話送受信部を用いて発信する際、話中・圏外を含む、通信が不可能な状態の場合には、返送動作を予約状態として一定時間毎に繰り返し自動発信するので、通信が不可能な場合には、使用者が関与することなく、通信が可能になるまで自動的に発信動作を繰り返すことができるという効果を有する。
【００６７】
本発明はまた、無線呼出返答メッセージを携帯電話送受信部を用いて発信する際、話中・圏外を含む、通信が不可能な状態の場合には、終話後または圏内に移動後に自動発信するので、通信が不可能な場合には、使用者が関与することなく、通信が可能になった時点で自動的に発信動作を行うことができるという効果を有する。
【００６８】
本発明はまた、無線呼出返答メッセージを携帯電話送受信部を用いて発信する際、話中・圏外を含む、通信が不可能な状態の場合には、圏内に移動して一定時間経過後に自動発信するので、通信が不可能な場合には、使用者が関与することなく、通信が可能になった時点で自動的に発信動作を行うことができるという効果を有する。
【００６９】
本発明はまた、無線呼出返答メッセージを携帯電話送受信部を用いて発信する際、話中・圏外を含む、通信が不可能な状態の場合には、圏内に移動して電界強度が予め定めた値以上になった後に自動発信するので、通信が不可能な場合には、使用者が関与することなく、通信が可能になった時点で自動的に発信動作を行うことができるという効果を有する。
【図面の簡単な説明】
【図１】本発明の各実施の形態における携帯電話装置の構成を示すブロック図
【図２】本発明の実施の形態１における携帯電話装置の動作を示すシーケンス図（ａ）と、各通信区間におけるデータ構造図（ｂ）
【図３】本発明の実施の形態２における携帯電話装置の呼出元情報記憶回路におけるデータ構造図
【図４】本発明の実施の形態２における携帯電話装置の返答メッセージのデータ構造図
【図５】本発明の実施の形態３における携帯電話装置の呼出メッセージ表示例を示す画面図
【図６】本発明の実施の形態４における携帯電話装置の呼出メッセージ表示例を示す画面図
【図７】本発明の実施の形態５における携帯電話装置の返答メッセージのデータ構造図
【図８】本発明の実施の形態６における携帯電話装置の呼出元情報記憶回路におけるデータ構造図（ａ）と、返答メッセージのデータ構造図（ｂ）
【図９】本発明の実施の形態７における携帯電話装置の動作を示すフロー図
【図１０】本発明の実施の形態８における携帯電話装置の動作を示すフロー図
【図１１】本発明の実施の形態９における携帯電話装置の動作を示すフロー図
【図１２】本発明の実施の形態１０における携帯電話装置の動作を示すフロー図
【図１３】従来の電話呼出機能付き無線呼出装置の構成を示すブロック図
【図１４】従来の電話呼出機能付き無線呼出装置の呼出信号のデータ構造図
【符号の説明】
１０１  無線呼出用アンテナ
１０２  ＦＭ受信器
１０３  復調器
１０４  選択呼出番号記憶回路
１０５  デコーダ部
１０６  無線呼出部
２０１  携帯電話用アンテナ
２０２  受信フィルター
２０３  復調器
２０４  変復調器
２０５  送信フィルター
２０６  変調器
２０７  音声処理部
２０８  レシーバ
２０９  マイク
２１０  携帯電話送受信部
３０１  ＣＰＵ
３０２  呼出元情報記憶回路
３０３  返答メッセージ記憶回路
３０４  受信メッセージ記憶回路
３０５  表示部
３０６  操作部
３０７  ブザー鳴動回路
３０８  時計回路
【図１】
0003715087.tif 000002
【図２】
0003715087.tif 000003
【図３】
0003715087.tif 000004
【図４】
0003715087.tif 000005
【図５】
0003715087.tif 000006
【図６】
0003715087.tif 000007
【図７】
0003715087.tif 000008
【図８】
0003715087.tif 000009
【図９】
0003715087.tif 000010
【図１０】
0003715087.tif 000011
【図１１】
0003715087.tif 000012
【図１２】
0003715087.tif 000013
【図１３】
0003715087.tif 000014
【図１４】
0003715087.tif 000015